(57)【要約】  本発明の表示制御システムは、車両における表示制御システムであって、車両情報、オーディオビジュアル情報及びナビゲーション情報の少なくともいずれか一つをイベント判断情報として取得する情報取得部１１と、イベント判断情報からイベントの発生を判断するイベント発生判断部１２と、メータクラスタの表示を制御する表示制御部１５と、を備え、表示制御部１５は、イベントの発生時に、イベントの発生を示しメータクラスタの第１領域から第２領域に移動する移動アイコンと、移動アイコンの第１領域から第２領域への移動経路３２とをメータクラスタに表示させる。
2016056105.tif 000002
【特許請求の範囲】
【請求項１】
車両における表示制御システムであって、
車両情報、オーディオビジュアル情報及びナビゲーション情報の少なくともいずれか一つをイベント判断情報として取得する情報取得部と、
前記イベント判断情報からイベントの発生を判断するイベント発生判断部と、
メータクラスタの表示を制御する表示制御部と、を備え、
前記表示制御部は、前記イベントの発生時に、前記イベントの発生を示し前記メータクラスタの第１領域から第２領域に移動する移動アイコンと、前記移動アイコンの前記第１領域から前記第２領域への移動経路とを前記メータクラスタに表示させる、
表示制御システム。
【請求項２】
前記表示制御部は、前記イベントの発生時に、前記イベントの内容を示すイベントアイコンを前記第１領域に表示させる、
請求項１に記載の表示制御システム。
【請求項３】
前記表示制御部は、前記イベントの発生時に前記イベントアイコンを前記第１領域に表示させ、前記移動アイコンを前記移動経路に沿って前記第１領域から前記第２領域に移動させた後、前記第２領域に前記イベントアイコンを表示させる、
請求項２に記載の表示制御システム。
【請求項４】
前記表示制御部は、前記イベントの発生時に前記イベントアイコンを前記第１領域に表示させ、その後、前記イベントアイコンを前記移動アイコンとして前記移動経路に沿って前記第１領域から前記第２領域に移動させる、
請求項２に記載の表示制御システム。
【請求項５】
前記第２領域は、発生した前記イベントの種別に応じて大きさが変わる、
請求項１に記載の表示制御システム。
【請求項６】
前記表示制御部は、メータの表示を行い、発生した前記イベントの種別に応じて前記メータの位置又は大きさを変化させる、
請求項５に記載の表示制御システム。
【請求項７】
前記移動アイコンの前記第１領域から前記第２領域への前記移動経路の方向は、前記イベントの種別に応じた方向である、
請求項１に記載の表示制御システム。
【請求項８】
前記表示制御部は、前記第２領域を立体的に表示する、
請求項１に記載の表示制御システム。
【請求項９】
前記表示制御部は、前記移動アイコンが前記第２領域に近づくにつれ、前記移動アイコンを立体的に表示する、
請求項８に記載の表示制御システム。
【請求項１０】
前記表示制御部は、前記移動アイコンが前記第２領域に近づくにつれ、前記移動アイコンの表示態様を変化させる、
請求項１に記載の表示制御システム。
【請求項１１】
前記表示制御部は、前記移動アイコンが前記第２領域に近づくにつれ、前記移動アイコンを大きく表示する、
請求項１０に記載の表示制御システム。
【請求項１２】
前記第２領域は、発生した前記イベントの種類に応じて複数存在する、
請求項１に記載の表示制御システム。
【請求項１３】
前記表示制御部は、発生したイベントの優先度に応じて、前記第２領域における前記イベントアイコンの表示位置を変える、
請求項３に記載の表示制御システム。
【請求項１４】
車両における表示制御方法であって、
車両情報、オーディオビジュアル情報及びナビゲーション情報の少なくともいずれか一つをイベント判断情報として取得し、
前記イベント判断情報からイベントの発生を判断し、
前記イベントが発生したと判断すると、前記イベントの発生を示しメータクラスタの第１領域から第２領域に移動する移動アイコンと、前記移動アイコンの前記第１領域から前記第２領域への移動経路とを前記メータクラスタに表示させる、
表示制御方法。
【発明の詳細な説明】
【技術分野】
【０００１】
この発明は車両におけるメータクラスタの表示制御に関し、特にイベントアイコンの表示に関する。
【背景技術】
【０００２】
車両におけるメータクラスタには、速度計や回転計が表示される他、所定のイベント条件を満たした時にイベント情報が表示される。イベント情報は、例えばサイドブレーキの警告灯やエアバッグの警告灯などである。このように、メータクラスタには多くの表示がなされるため、イベント情報が表示されたとしても、他の表示に埋もれてしまい運転者にとっての認知度が低いという問題があった。【０００３】
この問題に対して、特許文献１のメータクラスタでは、その中央に表示領域を設け、イベントアイコンを初期表示領域から表示領域に向かって移動させるアニメーションを表示することにより、イベントアイコンの認知度の向上を図っている。
【先行技術文献】
【特許文献】
【０００４】
【特許文献１】特開２０１４−４９７０号公報
【発明の概要】
【発明が解決しようとする課題】
【０００５】
しかし、イベントアイコンをアニメーション表示すると、ユーザはアニメーションの移動先を確かめるために、注意を払う必要があった。すなわち、ユーザにとって注意負荷が増大してしまうという問題がある。【０００６】
本発明は上述の問題に鑑み、メータクラスタにおいて、注意負荷が少なくかつ認知性の良い態様でイベントの発生を表示することを目的とする。
【課題を解決するための手段】
【０００７】
本発明の表示制御システムは、車両における表示制御システムであって、車両情報、オーディオビジュアル情報及びナビゲーション情報の少なくともいずれか一つをイベント判断情報として取得する情報取得部と、イベント判断情報からイベントの発生を判断するイベント発生判断部と、メータクラスタの表示を制御する表示制御部と、を備え、表示制御部は、イベントの発生時に、イベントの発生を示しメータクラスタの第１領域から第２領域に移動する移動アイコンと、移動アイコンの第１領域から第２領域への移動経路とをメータクラスタに表示させる。【０００８】
本発明の表示制御方法は、車両における表示制御方法であって、車両情報、オーディオビジュアル情報及びナビゲーション情報の少なくともいずれか一つをイベント判断情報として取得し、イベント判断情報からイベントの発生を判断し、イベントが発生したと判断すると、イベントの発生を示しメータクラスタの第１領域から第２領域に移動する移動アイコンと、移動アイコンの第１領域から第２領域への移動経路とをメータクラスタに表示させる。
【発明の効果】
【０００９】
本発明の表示制御システムは、車両における表示制御システムであって、車両情報、オーディオビジュアル情報及びナビゲーション情報の少なくともいずれか一つをイベント判断情報として取得する情報取得部と、イベント判断情報からイベントの発生を判断するイベント発生判断部と、メータクラスタの表示を制御する表示制御部と、を備え、表示制御部は、イベントの発生時に、イベントの発生を示しメータクラスタの第１領域から第２領域に移動する移動アイコンと、移動アイコンの第１領域から第２領域への移動経路とをメータクラスタに表示させる。従って、メータクラスタを視認するユーザは、移動アイコンが移動することにより、現在発生中のイベントを認知することが出来る。また、移動アイコンの移動経路が表示されることにより、ユーザが移動アイコンの移動を視認する際の注意負荷が軽減される。【００１０】
本発明の表示制御方法は、車両における表示制御方法であって、車両情報、オーディオビジュアル情報及びナビゲーション情報の少なくともいずれか一つをイベント判断情報として取得し、イベント判断情報からイベントの発生を判断し、イベントが発生したと判断すると、イベントの発生を示しメータクラスタの第１領域から第２領域に移動する移動アイコンと、移動アイコンの第１領域から第２領域への移動経路とをメータクラスタに表示させる。従って、メータクラスタを視認するユーザは、移動アイコンが移動することにより、現在発生中のイベントを認知することが出来る。また、移動アイコンの移動経路が表示されることにより、ユーザが移動アイコンの移動を視認する際の注意負荷が軽減される。【００１１】
本発明の目的、特徴、態様、および利点は、以下の詳細な説明と添付図面とによって、より明白となる。
【図面の簡単な説明】
【００１２】
【図１】本発明の表示制御システムの構成を示すブロック図である。
【図２】本発明の表示制御システムの第１表示例を示す図である。
【図３】本発明の表示制御システムの動作を示すフローチャートである。
【図４】本発明の表示制御システムの第２表示例を示す図である。
【図５】本発明の表示制御システムの第３表示例を示す図である。
【図６】本発明の表示制御システムの第４表示例を示す図である。
【図７】本発明の表示制御システムの第４表示例を示す図である。
【図８】本発明の表示制御システムの第５表示例を示す図である。
【図９】本発明の表示制御システムの第６表示例を示す図である。
【図１０】本発明の表示制御システムの構成を示すブロック図である。
【図１１】本発明の前提技術に係る表示制御システムの表示例を示す図である。
【図１２】本発明の表示制御システムのハードウェア構成を示す図である。
【発明を実施するための形態】
【００１３】
＜Ａ．前提技術＞
図１１は、本発明の前提技術に係るメータクラスタの表示制御システムによる表示例を示している。メータクラスタ表示部４０には、メータ３７と、報知灯３０ａ，３０ｂ，３０ｃ，３０ｄと、情報表示領域３４とが表示される。メータ３７では、車両の速度計や回転計等のメータ表示が行われる。メータ３７は電子式メータでも機械式メータでもよい。
【００１４】
情報表示領域３４は、イベントの内容を表示する領域である。
【００１５】
報知灯３０ａ，３０ｂ，３０ｃ，３０ｄは、点灯することによりイベント発生を知らせるものであり、イベントの種別ごとに設けられている。報知灯３０ａは、ウォーニングに関し、車両状態に関するウォーニングが発生すると報知灯３０ａが点灯する。ウォーニングが示す車両状態の一例は、車両のバッテリーの残量が残り僅かとなっていることである。報知灯３０ｂは、車両に搭載されたナビゲーション装置に関し、ナビゲーション装置に関するイベントが発生すると報知灯３０ｂが点灯する。例えば、ナビゲーション装置による「１００ｍ先の交差点を左折して下さい」という経路案内表示を情報表示領域３４に表示する場合、報知灯３０ｂが点灯する。報知灯３０ｃは、車両の燃料の残量が低下すると点灯する。報知灯３０ｄは、エンターテイメントに関するイベントの発生を報知する。例えば、車両に搭載されたオーディオで再生するアルバムを変えるときに、新しいアルバムのジャケット画像が情報表示領域３４に表示される。この際に、報知灯３０ｄが点灯する。
【００１６】
なお、ここで説明した報知灯の種別は一例であり、他の種類の報知灯を設けても良い。
【００１７】
図１１（ａ）は、イベントが何も発生していない状態を示している。
【００１８】
図１１（ｂ）は、バッテリー残量が残り僅かとなった状態を示している。このとき、報知灯３０ａが点灯すると共に、バッテリー残量が残り僅かであることを示すイベントアイコン３１が報知灯３０ａの傍らに表示される。
【００１９】
その後、図１１（ｃ）に示すように、イベントアイコン３１が情報表示領域３４に向かって移動していく。そして、最終的には図１１（ｄ）に示すように、情報表示領域３４にイベントアイコン３１が表示される。
【００２０】
このように、いきなり情報表示領域３４にイベントアイコン３１を表示するのではなく、メータクラスタの表示領域内でイベントアイコン３１を移動させることによって、イベントの認知度を高める効果が得られる。しかしながら、イベントアイコン３１の移動先を確かめるためにメータクラスタを見続けなければならないことは、メータクラスタを視認するユーザにとって注意負荷が高くなってしまうという問題があった。
【００２１】
そこで、本発明では、アイコンを移動する際に、その移動経路を併せて表示することにより、ユーザが一目でアイコンの移動先を認識できるようにした。その詳細を以下に説明する。
【００２２】
＜Ｂ．実施の形態１＞
＜Ｂ−１．構成＞
本発明の実施の形態１に係る表示制御システム１００は、車両に搭載されたメータクラスタ表示部４０の表示制御を行うものである。以下の説明では、表示制御システム１００を車両に搭載された装置として説明する。
【００２３】
図１は、表示制御システム１００の構成を示すブロック図である。表示制御システム１００は、情報取得部１１、イベント発生判断部１２、表示制御部１５、制御部１６、及び描画情報記憶部１７を備えている。
【００２４】
情報取得部１１は、イベント発生判断部１２でイベント発生の有無を判断するためのイベント判断情報を取得する。イベント判断情報は、ＡＶ（Audio Visual）情報、ナビ情報及び車内ＬＡＮ（Local Area Network）を通して取得する車両情報のいずれかを少なくとも含む。車両情報には、例えばバッテリーを監視するセンサや、燃料の残量を測定する燃料センサなど、車両の状態を示すセンサの情報が含まれる。また、車両の走行状態だけでなく、シートベルトの着用状況やドアロックの稼働状況など、車両の走行とは直接関係のない情報も車両情報に含まれる。ＡＶ情報には、表示制御システム１００と接続されたＡＶ機器（図示せず）が再生する楽曲の情報等がある。ナビ情報には、表示制御システム１００と接続されたナビゲーション機器（図示せず）が出力する経路案内情報等がある。なお、ＡＶ機器やナビゲーション機器は、表示制御システム１００の外部構成として説明しているが、表示制御システム１００の内部構成であっても良い。また、ＡＶ機器とナビゲーション機器とは、一体型の装置として構成されていても良い。情報取得部１１は、車内ＬＡＮ、ＡＶ機器又はナビゲーション機器との通信インタフェースとして構成される。
【００２５】
イベント発生判断部１２は、情報取得部１１が取得したイベント判断情報に基づき、イベント発生の有無を判断する。例えば、燃料センサの検出結果を取得すると、それを予め定めた閾値と比較し、当該閾値を下回る場合には「燃料残量が低下している」というイベントが発生していると判断する。
【００２６】
制御部１６は、イベント発生判断部１２がイベントの発生有りと判断した場合に、表示制御部１５に備えられる画像生成部１３にイベントの発生を示す表示画像を生成するよう指示する。
【００２７】
表示制御部１５は、画像生成部１３とメータクラスタ制御部１４とを備え、メータクラスタの表示部４０の表示を制御する。画像生成部１３は、制御部１６の指示を受けて、イベントの発生を示す表示画像を生成する。画像生成部１３が生成した画像のデータは、メータクラスタ制御部１４によってメータクラスタ表示部４０に適した形式に変換され、メータクラスタ表示部４０で画像が表示される。
【００２８】
描画情報記憶部１７は、イベントアイコン３１の移動元（第１領域）及び移動先（第２領域）並びに後述する移動アイコン３３の移動経路３２の情報を含む描画情報を、イベントの種別ごとに記憶する記憶媒体であり、ＨＤＤ（Hard Disk Drive）やメモリスティック等により構成される。しかし、描画情報記憶部１７に代えて、外部構成から描画情報を取得する描画情報取得部を設け、描画情報取得部が適宜、外部のサーバ等に記憶された描画情報を取得する構成であっても良い。
【００２９】
図１２は、表示制御システムのハードウェア構成を示す図である。イベント発生判断部１２、画像生成部１３、メータクラスタ制御部１４、制御部１６及び描画情報取得部は、ＣＰＵ（Central Processing Unit）又はＧＰＵ（Graphic Processing Unit）などのプロセッサがＲＡＭ（Random Access Memory）などのメモリに記憶されたプログラムを実行することにより、実現される。
【００３０】
以上、表示制御システム１００を車載装置として説明したが、車載装置の他、サーバやスマートフォン等の携帯端末と連携して表示制御システム１００が構成されていても良い。図１０は、サーバ、スマートフォン及び車載装置の組み合わせによる表示制御システム１００の構成例を示すブロック図である。この構成では、図１に示した表示制御システム１００の構成がサーバ、スマートフォン及び車載装置に分散される他、サーバには車載装置の情報取得部１１からイベント判断情報を取得してイベント発生判断部１２及び画像生成部１３に出力する情報受信部２２が設けられている。また、スマートフォンにはサーバの画像生成部１３から生成画像を受信して車載装置のメータクラスタ制御部１４に送信する表示画像送受信部２３が設けられている。情報受信部２２及び表示画像送受信部２３は、通信インタフェースとして構成される。
【００３１】
＜Ｂ−２．表示例１＞
図２に、イベント発生時のメータクラスタ表示部４０の表示例を示す。図２と図１１において、対応する構成要素には同一の符号を付している。
【００３２】
図２（ａ）は、バッテリーの残量低下というイベントが発生したときの表示例を示している。このとき、ウォーニングの報知灯３０ａが点灯し、ウォーニングに関するイベントが発生したことを示している。また、報知灯３０ａに重畳する位置又はその傍らにバッテリーの残量低下を示すイベントアイコン３１が表示される。また、２つのメータ３７の間に配置された情報表示領域３４の一部の領域がイベントアイコン表示エリア３５として他の領域と異なる色で表示され、イベントアイコン３１の現在の位置からイベントアイコン表示エリア３５への移動経路３２が表示される。ここで、移動経路３２は円筒状で表されており、その中を円筒状の移動アイコン３３が移動するアニメーションが表示される。なお、イベントアイコン表示エリア３５は必須の構成ではない。
【００３３】
図２（ａ）において移動アイコン３３は移動経路３２の報知灯３０ａ寄りの場所（第１領域）に位置している。この状態から、時間の経過と共に移動アイコン３３が移動経路３２に沿ってイベントアイコン表示エリア３５（第２領域）に向かって移動する。図２（ｂ）は移動経路３２の中央まで移動アイコン３３が移動した状態を示し、図２（ｃ）は移動アイコン３３がさらに進んで移動経路３２の終端、すなわちイベントアイコン表示エリア３５に達した状態を示している。
【００３４】
移動アイコン３３がイベントアイコン表示エリア３５に達すると、図２（ｄ）に示すようにイベントアイコン表示エリア３５にイベントアイコン３１が表示される。イベントアイコン表示エリア３５に表示されるイベントアイコン３１は、報知灯３０ａ又はその傍らに表示されるイベントアイコン３１よりも大きく、ユーザにとって視認性が良い。また、情報表示領域３４には「バッテリー注意」というイベント内容テキスト３６の表示が行われる。そして、移動経路３２、移動アイコン３３、及び報知灯３０ａに重複する又はその傍らに位置するイベントアイコン３１の表示は削除される。
【００３５】
図２に示すように、移動アイコン３３が移動するアニメーション表示を行うことにより、イベント発生のユーザに対する認知度が高くなる。一方で、移動アイコン３３と併せて移動経路３２を表示するため、ユーザは移動アイコン３３の移動を目で追いかけなくても、一目で移動アイコン３３がどこに移動するかを認識することが出来るため、ユーザの注意負荷は軽減される。
【００３６】
図２に示すイベントアイコン３１はバッテリーを模式的に表すアイコンであるのに対し、移動アイコン３３は無地の円筒状でありイベント内容を示さないため、移動アイコン３３はイベントアイコン３１よりも視覚情報量が少ない。そのため、移動アイコン３３を移動させることにより、イベントアイコン３１を移動経路３２に沿って移動させる場合と比べて、ユーザの注意負荷を軽減させる効果がある。
【００３７】
次に、図２の表示を実現する実施の形態１に係る表示制御システムの動作を、図３のフローチャートに沿って説明する。
【００３８】
まず、情報取得部１１がイベント判断情報を取得する（ステップＳ１）。
【００３９】
次に、イベント発生判断部１２が、ステップＳ１で取得した車両情報を基にイベント発生の有無を判断する（ステップＳ２）。イベント発生有りと判断すると、制御部１６が画像生成部１３にイベント発生時の画像を生成するように指示する。イベント発生無しと判断した場合は、ステップＳ１に戻り、ステップＳ２でイベント発生有りと判断するまでステップＳ１及びＳ２を繰り返す。
【００４０】
具体的には、制御部１６が発生したイベントの種別に基づき、描画情報記憶部１７からイベントアイコン３１の移動元（第１領域）及び移動先（第２領域）並びに移動アイコン３３の移動経路３２を取得し、決定する（ステップＳ３）。図２（ａ）の例では、移動元はイベントアイコン３１のイベントの種別に応じた報知灯３０ａであり、移動先はメータ３７間の情報表示領域３４である。
【００４１】
次に、制御部１６の指示に従い画像生成部１３が画像を生成し、メータクラスタ制御部１４がメータクラスタ表示部４０を制御することにより、メータクラスタ表示部４０において以下の画像を表示する。すなわち、イベントアイコン３１を移動元に表示し、移動経路３２及び移動アイコン３３を表示する（ステップＳ４）。ステップＳ４では、移動アイコン３３は初期位置、すなわち図２（ａ）の例における移動経路３２の報知灯３０ａ側に表示される。
【００４２】
次に、移動アイコン３３を移動経路３２に沿って予め定めた距離だけ移動する（ステップＳ５）。そして、制御部１６が、移動アイコン３３が移動先に到着したか否かを判断する（ステップＳ６）。移動アイコン３３が未だ移動先に到着していなければ、ステップＳ５に戻り移動アイコン３３の移動を繰り返す（図２（ｂ））。移動アイコン３３が移動先に到着すれば（図２（ｃ））、移動アイコン３３を削除し、移動先にイベントアイコン３１及びイベント内容テキスト３６を表示する（ステップＳ７）。
【００４３】
そして、制御部１６において、ステップＳ７の処理から所定時間が経過したかを判断する（ステップＳ８）。所定時間が経過すれば、移動アイコン３３及び移動経路３２を削除する（ステップＳ９）。図２（ｄ）はこの状態を示している。
【００４４】
また、制御部１６において、ステップＳ９の処理から所定時間が経過したかを判断し（ステップＳ１０）、所定時間が経過すれば、イベントアイコン３１及びイベント内容テキスト３６を削除し（ステップＳ１１）、処理が終了する。
【００４５】
＜Ｂ−３．表示例２＞
図２では、イベントアイコン３１とは別の移動アイコン３３がイベントアイコン３１の移動元から移動先まで移動経路３２に沿って移動する表示例を示した。しかし、イベントアイコン３１が移動アイコン３３を兼ねる、すなわちイベントアイコン３１を移動アイコンとして移動経路３２に沿って移動させても良い。このような表示態様を表示例２として図４に示す。
【００４６】
図４（ａ）は、バッテリーの残量低下というイベントが発生したときのメータクラスタ表示部４０の表示例を示している。このとき、ウォーニングの報知灯３０ａが点灯し、ウォーニングに関するイベントが発生したことを示している。また、報知灯３０ａの傍らにバッテリーの残量低下を示すイベントアイコン３１が表示される。また、２つのメータ３７の間に配置された情報表示領域３４の一部の領域がイベントアイコン表示エリア３５として他の領域と異なる色で表示され、イベントアイコン３１の現在の位置からイベントアイコン表示エリア３５への移動経路３２が表示される。
【００４７】
図２では移動経路３２を円筒状で示したが、移動経路３２の形状は円筒状に限らず、図４に示すような二重線など、他の形状であっても良い。また、直線でも曲線でもよい。例えば、直線だと移動経路３２がメータ３７に重なる場合には、メータ３７を避けるように曲線形状等で移動経路３２を配することにより、メータ３７の視認性を阻害せずに移動経路３２を表示することができる。
【００４８】
図４（ａ）に示す状態から、時間の経過と共にイベントアイコン３１が移動経路３２に沿ってイベントアイコン表示エリア３５に向かって移動する。図４（ｂ）は移動経路３２の中央までイベントアイコン３１が移動した状態を示し、図４（ｃ）はイベントアイコン３１がさらに進んで移動経路３２の終端、すなわちイベントアイコン表示エリア３５に達した状態を示している。
【００４９】
イベントアイコン３１がイベントアイコン表示エリア３５に達すると、図４（ｄ）に示すようにイベントアイコン表示エリア３５にイベントアイコン３１が表示される。イベントアイコン表示エリア３５に表示されるイベントアイコン３１は、報知灯３０ａの傍らに表示されるイベントアイコン３１や移動経路３２に沿って移動するイベントアイコン３１よりも大きく、ユーザにとって視認性が良い。また、情報表示領域３４には「バッテリー注意」というイベント内容テキスト３６が表示される。そして、移動経路３２の表示は削除される。
【００５０】
表示例２によれば、イベントアイコン３１が移動アイコンとしてメータクラスタの表示領域上を移動するため、ユーザは移動経路３２上を移動するイベントアイコン３１を見て、どのようなイベントが発生しているのかを知ることができる。
【００５１】
＜Ｂ−４．表示例３＞
表示例３では、イベントアイコン３１及びイベント内容テキスト３６を表示する情報表示領域３４の寸法を、イベントの種別により変化させる。図５は、イベントアイコン３１が移動元から移動先へ移動し終わった時点でのメータクラスタ表示部４０の表示例を示している。
【００５２】
図５（ａ）は、バッテリーの残量低下というウォーニングのイベントが発生したときの表示例、図５（ｂ）は、エンタメのイベントが発生したときの表示例、図５（ｃ）は、ナビのイベントが発生したときの表示例を、それぞれ示している。
【００５３】
例えば、再生音楽の切り替えというエンタメのイベントが発生したとき、情報表示領域３４にはイベントアイコン３１としてＡＶジャケット画像が表示されるため、図５（ｂ）に示すようにウォーニングのイベント発生時に比べて情報表示領域３４の幅を広くし、ＡＶジャケット画像の表示領域を確保する。
【００５４】
また、経路案内というナビのイベントが発生したとき、情報表示領域３４で経路表示を行うため、エンタメのイベント発生時よりもさらに情報表示領域３４の幅を広くする。メータ３７の配置上、情報表示領域３４の幅を広くできない場合には、図５（ｃ）に示すようにメータ３７の配置を変えてメータ３７間の領域を広げることにより、情報表示領域３４の幅を広くすることができる。あるいは、メータ３７を小さくすることによって情報表示領域３４の配置場所を確保しても良い。このように、発生したイベントの種別に応じてメータ３７の位置又は大きさを変化させることにより、情報表示領域３４の配置場所を確保することができる。
【００５５】
メータ３７が電子式メータである場合、すなわち画像生成部１３がメータ３７の画像を生成する場合には、メータ３７の表示位置や表示の大きさを変えることで情報表示領域３４の大きさの変化に対応することが出来る。また、メータ３７が機械式メータである場合も、メータクラスタをユーザに対して奥側の液晶面と手前側の機械式メータの２層構造とし、機械式メータを左右にスライド可能に構成することで、容易にメータ３７間の寸法を調整することができる。
【００５６】
図５の例では情報表示領域３４の幅をイベント種別に応じて可変とする例を示したが、情報表示領域３４の高さや形状を可変としても良い。
【００５７】
＜Ｂ−５．表示例４＞
表示例１〜３では、イベントアイコン３１の移動元を報知灯と重畳する位置又はその傍らとしていたが、イベントアイコン３１の移動元はこれらの位置に限らない。表示例４では、イベントの種別に応じた方向から移動アイコン３３を情報表示領域３４（移動先）にスライドインさせる。すなわち、移動経路３２の方向が、イベントの種別に応じた方向となる。
【００５８】
例えば、バッテリーの残量低下など、ウォーニングに関するイベントの場合は、移動経路３２を右方向とし、メータクラスタ表示部４０の左端から情報表示領域３４にかけて移動経路３２を表示する（図６（ａ），（ｂ））。また、ナビに関するイベントの場合は、移動経路３２を左方向とし、メータクラスタ表示部４０の右端から情報表示領域３４にかけて移動経路３２を表示する（図７（ａ），（ｂ））。
【００５９】
このように、移動経路３２の方向をイベントの種別ごとに分けることによって、ユーザは移動経路３２の方向からイベントの種別を把握することができ、イベント種別の認知度が向上する。
【００６０】
また、移動経路３２の方向は、図６，７に示した左右方向だけでなく、上下方向であっても良いし、左下、右上というように斜め方向であってもよい。
【００６１】
また、変形例として、移動経路３２の方向に加えて、あるいは方向に代えて、移動経路３２の形状によってもイベント種別を区別しても良い。例えば、ウォーニングに関するイベントの移動経路は直線形状とし、エンタメに関するイベントの移動経路は曲線形状とする。このような表示態様によっても、イベント種別の認知度が向上する。
【００６２】
＜Ｂ−６．表示例５＞
表示例５では、イベントアイコン３１を移動経路３２に沿って移動させるが、移動先である情報表示領域３４に近づくにつれて、イベントアイコン３１の表示態様を変化させる。
【００６３】
例えば、イベントアイコン３１を情報表示領域３４に近づくにつれて大きく表示する。これにより、イベントアイコン３１の認知度が向上する。
【００６４】
あるいは、図８（ａ）〜（ｃ）に示すように、情報表示領域３４を立体的に表示し、イベントアイコン３１が情報表示領域３４に近づくにつれ、情報表示領域３４と同じく立体的に表示されるようにする。これにより、イベントアイコン３１の認知度が向上する。
【００６５】
＜Ｂ−７．表示例６＞
表示例１〜５では、イベントアイコン３１の移動先である情報表示領域３４をメータ３７の間に配置していたが、図９に示す表示例６では、情報表示領域３４をメータクラスタ表示部４０の左側に配置する。このように、情報表示領域３４のメータクラスタ表示部４０における配置場所は任意である。
【００６６】
また、情報表示領域３４の配置は、発生したイベントの種別に応じて変えても良く、イベントの種類に応じた複数の情報表示領域３４を設けても良い。このようにすれば、複数種類のイベントが同時に発生した場合でも、それぞれの種類に応じた情報表示領域３４にイベントアイコン３１を表示することができる。また、イベントの種類に応じて優先度を設け、例えば優先度の高いイベントについての情報表示領域３４はメータ３７の間、すなわちメータクラスタ表示部４０の中央に設け、優先度の低いイベントについての情報表示領域３４はメータクラスタ表示部４０の端の方に設けることによって、優先度の高いイベントのイベントアイコン３１の視認性を高めても良い。
【００６７】
また、表示例１〜５では情報表示領域３４の上半分をイベントアイコン表示エリア３５としていたが、図９に示す表示例６では、情報表示領域３４の下半分をイベントアイコン表示エリア３５とする。このように、情報表示領域３４のどの部分をイベントアイコン表示エリア３５とするかは任意である。あるいは、イベントの種類や優先度に応じて決定しても良い。例えば、優先度の高いイベントのイベントアイコン表示エリア３５は情報表示領域３４の上側、優先度の低いイベントのイベントアイコン表示エリア３５は情報表示領域３４の下側にする等である。これにより、イベントアイコン表示エリア３５の配置からイベントの優先度を把握することができる。
【００６８】
＜Ｂ−８．効果＞
実施の形態１に係る表示制御システムは、車両における表示制御システムであり、車両情報、オーディオビジュアル情報及びナビゲーション情報の少なくともいずれか一つをイベント判断情報として取得する情報取得部１１と、イベント判断情報からイベントの発生を判断するイベント発生判断部１２と、メータクラスタの表示を制御する表示制御部１５と、を備える。そして、表示制御部１５は、イベントの発生時に、イベントの発生を示しメータクラスタの第１領域から情報表示領域３４（第２領域）に移動する移動アイコン３３をメータクラスタに表示させるので、ユーザに対してイベント発生の認知度が向上する。また、表示制御部１５は、移動アイコン３３の第１領域から情報表示領域３４への移動経路３２をメータクラスタに表示させるので、ユーザは移動アイコン３３の移動先を予め知ることができるため、移動アイコン３３の移動を目で追いかけることによる注意負荷が軽減される。
【００６９】
また、表示制御部１５は、イベントの発生時に、イベントの内容を示すイベントアイコン３１を第１領域に表示させるので、ユーザはイベントの内容を知ることが出来る。
【００７０】
また、表示制御部１５は、イベントの発生時にイベントアイコン３１を第１領域に表示させ、移動アイコン３３を移動経路３２に沿って第１領域から情報表示領域３４に移動させた後、情報表示領域３４にイベントアイコン３１を表示させる（表示例１）。このように、移動アイコン３３の移動アニメーションの後、イベントアイコン３１が情報表示領域３４に表示されることによって、イベントの認知度が高まる。
【００７１】
あるいは、表示制御部１５は、イベントの発生時にイベントアイコン３１を第１領域に表示させ、その後、イベントアイコン３１を移動アイコンとして移動経路３２に沿って第１領域から情報表示領域３４に移動させる（表示例２）。これにより、ユーザは移動するイベントアイコン３１を見てイベント内容を知ることができる。
【００７２】
また、表示例３では、発生したイベントの種別に応じて情報表示領域３４の大きさを変えることにより、イベントアイコン３１の表示領域を適切に確保することができる。
【００７３】
また、その場合、表示制御部１５は、メータ３７の表示画像を生成し、発生したイベントの種別に応じてメータ３７の位置又は大きさを変化させることにより、情報表示領域３４の配置場所を適切に確保することができる。
【００７４】
また、表示例４では、移動アイコン３３の第１領域から情報表示領域３４への移動経路３２の方向を、イベントの種別に応じた方向とすることにより、ユーザは移動経路３２の方向からイベントの種別を把握することができ、イベント種別の認知度が向上する。
【００７５】
また、表示例５では、情報表示領域３４を立体的に表示することによって、イベントアイコン３１の認知度を高めることができる。
【００７６】
その場合、移動アイコン３３が情報表示領域３４に近づくにつれ、移動アイコン３３を立体的に表示することにより、イベント発生の認知度を高めることができる。
【００７７】
また、上記の立体表示の例に限らず、移動アイコン３３が第２領域に近づくにつれ、移動アイコン３３を大きく表示させるなど、その表示態様を変化させることにより、イベント発生の認知度を高めることができる。
【００７８】
また、表示例６では、発生したイベントの種類に応じて情報表示領域３４を複数設けるので、同時に複数種類のイベントが発生したときに対応できる。また、イベントの優先度に応じて複数の情報表示領域３４を使い分ければ、イベントの優先度の認知度を高めることができる。
【００７９】
また、発生したイベントの優先度に応じて、情報表示領域３４におけるイベントアイコン３１の表示位置を変えることにより、イベントアイコン表示エリア３５の配置からイベントの優先度を把握することができる。
【００８０】
また、実施の形態１に係る表示制御方法は、車両における表示制御方法であって、車両情報、ＡＶ情報及びナビゲーション情報の少なくともいずれか一つをイベント判断情報として取得し、イベント判断情報からイベントの発生を判断し、イベントが発生したと判断すると、イベントの発生を示しメータクラスタの第１領域から第２領域に移動する移動アイコン３３と、移動アイコン３３の第１領域から第２領域への移動経路３２をメータクラスタに表示させる。移動アイコン３３を移動させることにより、イベント発生の認知度が向上する。また、移動経路３２をメータクラスタに表示させることにより、ユーザは移動アイコン３３の移動先を予め知ることができるため、移動アイコン３３の移動を目で追いかけることによる注意負荷が軽減される。
【００８１】
なお、本発明は、その発明の範囲内において、実施の形態を適宜、変形、省略することが可能である。
【００８２】
この発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【００８３】
１１  情報取得部、１２  イベント発生判断部、１３  画像生成部、１４  メータクラスタ制御部、１５  表示制御部、１６  制御部、１７  描画情報記憶部、２２  情報受信部、２３  表示画像送受信部、３０ａ，３０ｂ，３０ｃ，３０ｄ  報知灯、３１  イベントアイコン、３２  移動経路、３３  移動アイコン、３４  情報表示領域、３５  イベントアイコン表示エリア、３６  イベント内容テキスト、３７メータ、４０  メータクラスタ表示部、１００  表示制御システム。
【図１】
2016056105.tif 000003
【図２】
2016056105.tif 000004
【図３】
2016056105.tif 000005
【図４】
2016056105.tif 000006
【図５】
2016056105.tif 000007
【図６】
2016056105.tif 000008
【図７】
2016056105.tif 000009
【図８】
2016056105.tif 000010
【図９】
2016056105.tif 000011
【図１０】
2016056105.tif 000012
【図１１】
2016056105.tif 000013
【図１２】
2016056105.tif 000014
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
車両における表示制御システムであって、
車両情報、オーディオビジュアル情報及びナビゲーション情報の少なくともいずれか一つをイベント判断情報として取得する情報取得部と、
前記イベント判断情報からイベントの発生を判断するイベント発生判断部と、
メータクラスタの表示を制御する表示制御部と、を備え、
前記表示制御部は、前記イベントの発生時に、前記イベントの発生を示し前記メータクラスタの第１領域から第２領域に移動する移動アイコンと、前記移動アイコンの前記第１領域から前記第２領域への移動経路とを前記メータクラスタに表示させ、
前記移動経路は、前記第１領域と前記第２領域とを接続し、
前記移動アイコンは前記移動経路に沿って前記第１領域から前記第２領域へ移動する、
表示制御システム。
【請求項２】
前記表示制御部は、前記イベントの発生時に、前記イベントの内容を示すイベントアイコンを前記第１領域に表示させる、
請求項１に記載の表示制御システム。
【請求項３】
前記表示制御部は、前記イベントの発生時に前記イベントアイコンを前記第１領域に表示させ、前記移動アイコンを前記移動経路に沿って前記第１領域から前記第２領域に移動させた後、前記第２領域に前記イベントアイコンを表示させる、
請求項２に記載の表示制御システム。
【請求項４】
前記表示制御部は、前記イベントの発生時に前記イベントアイコンを前記第１領域に表示させ、その後、前記イベントアイコンを前記移動アイコンとして前記移動経路に沿って前記第１領域から前記第２領域に移動させる、
請求項２に記載の表示制御システム。
【請求項５】
前記移動アイコンの前記第１領域から前記第２領域への前記移動経路の方向は、前記イベントの種別に応じた方向である、
請求項１ないし４のいずれか１項に記載の表示制御システム。
【請求項６】
前記表示制御部は、前記第２領域を立体的に表示する、
請求項１ないし５のいずれか１項に記載の表示制御システム。
【請求項７】
前記第２領域は、発生した前記イベントの種類に応じて複数存在する、
請求項１ないし６のいずれか１項に記載の表示制御システム。
【請求項８】
前記表示制御部は、発生したイベントの優先度に応じて、前記第２領域における前記イベントアイコンの表示位置を変える、
請求項３に記載の表示制御システム。
【請求項９】
車両における表示制御システムであって、
車両情報、オーディオビジュアル情報及びナビゲーション情報の少なくともいずれか一つをイベント判断情報として取得する情報取得部と、
前記イベント判断情報からイベントの発生を判断するイベント発生判断部と、
メータクラスタの表示を制御する表示制御部と、を備え、
前記表示制御部は、前記イベントの発生時に、前記イベントの発生を示し前記メータクラスタの第１領域から第２領域に移動する移動アイコンと、前記移動アイコンの前記第１領域から前記第２領域への移動経路とを前記メータクラスタに表示させ、
前記第２領域は、発生した前記イベントの種別に応じて大きさが変わる、
表示制御システム。
【請求項１０】
前記表示制御部は、メータの表示を行い、発生した前記イベントの種別に応じて前記メータの位置又は大きさを変化させる、
請求項９に記載の表示制御システム。
【請求項１１】
車両における表示制御システムであって、
車両情報、オーディオビジュアル情報及びナビゲーション情報の少なくともいずれか一つをイベント判断情報として取得する情報取得部と、
前記イベント判断情報からイベントの発生を判断するイベント発生判断部と、
メータクラスタの表示を制御する表示制御部と、を備え、
前記表示制御部は、前記イベントの発生時に、前記イベントの発生を示し前記メータクラスタの第１領域から第２領域に移動する移動アイコンと、前記移動アイコンの前記第１領域から前記第２領域への移動経路とを前記メータクラスタに表示させ、前記移動アイコンが前記第２領域に近づくにつれ、前記移動アイコンの表示態様を変化させる、
表示制御システム。
【請求項１２】
前記表示制御部は、前記移動アイコンが前記第２領域に近づくにつれ、前記移動アイコンを大きく表示する、
請求項１１に記載の表示制御システム。
【請求項１３】
前記表示制御部は、前記移動アイコンが前記第２領域に近づくにつれ、前記移動アイコンを立体的に表示する、
請求項１１に記載の表示制御システム。
【請求項１４】
車両における表示制御方法であって、
車両情報、オーディオビジュアル情報及びナビゲーション情報の少なくともいずれか一つをイベント判断情報として取得し、
前記イベント判断情報からイベントの発生を判断し、
前記イベントが発生したと判断すると、前記イベントの発生を示しメータクラスタの第１領域から第２領域に移動する移動アイコンと、前記移動アイコンの前記第１領域から前記第２領域への移動経路とを前記メータクラスタに表示させる、
表示制御方法。
【手続補正２】
【補正対象書類名】明細書
【補正対象項目名】０００７
【補正方法】変更
【補正の内容】
【０００７】
本発明の第１の表示制御システムは、車両における表示制御システムであって、車両情報、オーディオビジュアル情報及びナビゲーション情報の少なくともいずれか一つをイベント判断情報として取得する情報取得部と、イベント判断情報からイベントの発生を判断するイベント発生判断部と、メータクラスタの表示を制御する表示制御部と、を備え、表示制御部は、イベントの発生時に、イベントの発生を示しメータクラスタの第１領域から第２領域に移動する移動アイコンと、移動アイコンの第１領域から第２領域への移動経路とをメータクラスタに表示させ、移動経路は、第１領域と第２領域とを接続し、移動アイコンは移動経路に沿って第１領域から第２領域へ移動する。
本発明の第２の表示制御システムは、車両における表示制御システムであって、車両情報、オーディオビジュアル情報及びナビゲーション情報の少なくともいずれか一つをイベント判断情報として取得する情報取得部と、イベント判断情報からイベントの発生を判断するイベント発生判断部と、メータクラスタの表示を制御する表示制御部と、を備え、表示制御部は、イベントの発生時に、イベントの発生を示しメータクラスタの第１領域から第２領域に移動する移動アイコンと、移動アイコンの第１領域から第２領域への移動経路とをメータクラスタに表示させ、第２領域は、発生したイベントの種別に応じて大きさが変わる。
本発明の第３の表示制御システムは、車両における表示制御システムであって、車両情報、オーディオビジュアル情報及びナビゲーション情報の少なくともいずれか一つをイベント判断情報として取得する情報取得部と、イベント判断情報からイベントの発生を判断するイベント発生判断部と、メータクラスタの表示を制御する表示制御部と、を備え、表示制御部は、イベントの発生時に、イベントの発生を示しメータクラスタの第１領域から第２領域に移動する移動アイコンと、移動アイコンの第１領域から第２領域への移動経路とをメータクラスタに表示させ、移動アイコンが第２領域に近づくにつれ、移動アイコンの表示態様を変化させる。
【手続補正３】
【補正対象書類名】明細書
【補正対象項目名】０００９
【補正方法】変更
【補正の内容】
【０００９】
本発明の第１の表示制御システムは、車両における表示制御システムであって、車両情報、オーディオビジュアル情報及びナビゲーション情報の少なくともいずれか一つをイベント判断情報として取得する情報取得部と、イベント判断情報からイベントの発生を判断するイベント発生判断部と、メータクラスタの表示を制御する表示制御部と、を備え、表示制御部は、イベントの発生時に、イベントの発生を示しメータクラスタの第１領域から第２領域に移動する移動アイコンと、移動アイコンの第１領域から第２領域への移動経路とをメータクラスタに表示させ、移動経路は、第１領域と第２領域とを接続し、移動アイコンは移動経路に沿って第１領域から第２領域へ移動する。従って、メータクラスタを視認するユーザは、移動アイコンが移動することにより、現在発生中のイベントを認知することが出来る。また、移動アイコンの移動経路が表示されることにより、ユーザが移動アイコンの移動を視認する際の注意負荷が軽減される。
本発明の第２の表示制御システムは、車両における表示制御システムであって、車両情報、オーディオビジュアル情報及びナビゲーション情報の少なくともいずれか一つをイベント判断情報として取得する情報取得部と、イベント判断情報からイベントの発生を判断するイベント発生判断部と、メータクラスタの表示を制御する表示制御部と、を備え、表示制御部は、イベントの発生時に、イベントの発生を示しメータクラスタの第１領域から第２領域に移動する移動アイコンと、移動アイコンの第１領域から第２領域への移動経路とをメータクラスタに表示させ、第２領域は、発生したイベントの種別に応じて大きさが変わる。従って、第２領域におけるアイコンの表示領域を適切に確保することができる。
本発明の第３の表示制御システムは、車両における表示制御システムであって、車両情報、オーディオビジュアル情報及びナビゲーション情報の少なくともいずれか一つをイベント判断情報として取得する情報取得部と、イベント判断情報からイベントの発生を判断するイベント発生判断部と、メータクラスタの表示を制御する表示制御部と、を備え、表示制御部は、イベントの発生時に、イベントの発生を示しメータクラスタの第１領域から第２領域に移動する移動アイコンと、移動アイコンの第１領域から第２領域への移動経路とをメータクラスタに表示させ、移動アイコンが第２領域に近づくにつれ、移動アイコンの表示態様を変化させる。従って、イベント発生の認知度を高めることができる。
【国際調査報告】
2016056105.tif 000015
2016056105.tif 000016